(57)【要約】【課題】マイクを収容するハウジングの開口部が、装着されるパネル面の角度に応じて密着するようなマイクアセンブリを提供する。【解決手段】車載用コントロールモジュールのパネル５０に取り付けるマイクアセンブリ１０であって、マイク２２を収容し、パネル５０に対向する面に開口部を有する収容ハウジング２４と、収容ハウジング２４を首振り可能に保持する保持ケース２６とを備え、パネル５０に設けられた受入れ部５４に差し込む際に、パネル５０に対し収容ハウジング２４の開口部が密着するように、収容ハウジング２４が回動する。これにより、パネル５０の面の角度に応じて、収容ハウジング開口部がパネル面に対し密着することができる。【選択図】図３
2005306278.tif 000002
【特許請求の範囲】
【請求項１】
車載用コントロールモジュールのパネルに取り付けるマイクアセンブリであって、
マイクと、
マイクを収容し、パネルに対向する面に開口部を有する収容ハウジングと、
収容ハウジングを首振り可能に保持する保持ケースと、
を備え、
マイクアセンブリをパネルに設けられた受入れ部に差し込む際に、パネルに対し収容ハウジングの開口部が密着するように、収容ハウジングが保持ケースに対して回動することを特徴とするマイクアセンブリ。
【請求項２】
請求項１に記載のマイクアセンブリであって、
収容ハウジングの開口部が弾性部材で構成されることを特徴とするマイクアセンブリ。
【請求項３】
請求項２に記載のマイクアセンブリであって、
収容ハウジングは、
硬質部材から形成され、保持ケースに対して首振り可能に保持される外側ケースと、
弾性部材から形成され、外側ケースの内側に配置され、開口部がパネルに対し密着する内側ケースと、
を有することを特徴とするマイクアセンブリ。
【請求項４】
請求項２に記載のマイクアセンブリであって、
保持ケースとパネルのうち、一方には係止爪が、他方には係止溝が設けられていることを特徴とするマイクアセンブリ。
【発明の詳細な説明】
【技術分野】
【０００１】
本発明は、車両の室内に設置され、例えばルームランプや各種スイッチ類が配置されるような、コントロールモジュールのパネルに装着されるマイクアセンブリに関する。
【背景技術】
【０００２】
車両の運転者は走行中に通話を行うことがあり、車両用通話機には、安全性を考慮して一般的にハンズフリーマイクとスピーカが使用される。このハンズフリーマイクは、コントロールモジュールの構成部品であり、コントロールモジュールのパネルに対して、マイクアセンブリとして取り付けられる場合が多い。ここで、車外騒音や車両の振動騒音のようなパネルの背後から進入する周囲雑音を、マイクが拾ってしまうという問題があった。
【０００３】
これに対し従来例（特許文献１）は、マイクを収容し、外側に防振ゴムカバーを有する収容ハウジングを用いることで、周囲雑音がマイクに進入することを低減している。詳細を図６（ａ）〜（ｃ）を用いて以下に説明する。
【０００４】
マイクアセンブリの収容ハウジング１００は、マイクを保持する硬質部材のケース１０２と、この硬質部材ケースを覆うよう配置される防振ゴムカバー１０４により構成されている。この収容ハウジング１００の開口部は、パネルに設置された透音部１０６に対向するよう配置されており、マイク１０８は、この透音部１０６を通じて、車室内の音声を拾うことができる。一方、収容ハウジング１００は、外側に防振ゴムカバー１０４を有することで、収容ハウジング１００を貫通して周囲雑音が進入することを低減している。また、防振ゴムカバー１０４は、弾性を有しており、その開口部がパネル１１０に対し密着することで、パネル５０と収容ハウジング１００（防振ゴムカバー１０４）の間に隙間が生じることを防ぎ、隙間から周囲雑音が進入することを低減している。
【０００５】
ここで従来例は、図６に示すような構成を用いて、マイクアセンブリの収容ハウジング１００をパネルに押し付けている。収容ハウジング１００には溝部１１２が設けられ、この溝部に押圧ブラケット１１４のＵ字部１１６が差し込まれる。一方、押圧ブラケット１１４のネジ固定部１１８は、パネルに設けられたボス部１２０にネジ止めされる。以上から、収容ハウジング１００のパネル１１０に対する位置が規定される。収容ハウジング１００は、押圧ブラケット１１４の撓み圧によりパネル１１０に押し付けられる。
【０００６】
【特許文献１】特開２００３−１１７３６号公報
【発明の開示】
【発明が解決しようとする課題】
【０００７】
前述の従来例に示された構造においては、マイクアセンブリの収容ハウジングを密着させるパネル面の角度に応じて、専用の押圧ブラケットを設ける必要があった。
【０００８】
本発明は、マイクアセンブリの収容ハウジングの開口部が、パネル面の角度に応じて密着するようなマイクアセンブリを提供することを目的とする。
【課題を解決するための手段】
【０００９】
上記目的を達成するため、本発明は、車載用コントロールモジュールのパネルに取り付けるマイクアセンブリであって、マイクを収容し、パネルに対向する面に開口部を有する収容ハウジングと、収容ハウジングを首振り可能に保持する保持ケースとを備え、パネルに設けられた受入れ部に差し込む際に、パネルに対し収容ハウジングの開口部が密着するように、収容ハウジングが回動することを特徴とする。
【００１０】
ここで、収容ハウジングの開口部は、弾性部材で構成されることが好ましい。
【００１１】
例えば、収容ハウジングは、硬質部材から形成され、保持ケースにより首振り可能に保持される外側ケースと、弾性部材から形成され、この外側ケースの内側に配置され、開口部がパネルに対し密着する内側ケースと、を有することも好適である。
【００１２】
また、保持ケースとパネルのうち、一方には係止爪が、他方には係止溝が設けられ、パネルに設けられた受入れ部にマイクアセンブリを差し込むと、係止爪と係止溝が係止されることでパネルにマイクアセンブリが固定されても良い。
【発明の効果】
【００１３】
本発明により、マイクアセンブリの収容ハウジングがパネル面の角度に応じて回動することで、収容ハウジング開口部がパネル面に対し密着することができる。
【発明を実施するための最良の形態】
【００１４】
以下、本発明に好適な実施形態について図面を参照し説明する。図１は本実施形態に係るマイクアセンブリの斜視図であり、図２はマイクアセンブリをパネルの受入れ部に装着する組付図である。図３はマイクアセンブリ及び装着されるパネルの分解斜視図であり、マイクアセンブリの各構成部品とコントロールモジュールのパネルが図示されている。図４はパネルに装着されたマイクアセンブリの上面図（ａ）と、矢印Ｂ方向から見た縦断面図（ｂ）である。図５（ａ）〜（ｃ）は、マイクアセンブリをパネルに装着する際の収容ハウジングの動作を示す図である。
【００１５】
本実施形態のマイクアセンブリの斜視図を図１に示す。このマイクアセンブリ１０は、車両の室内に設置されるコントロールモジュールのパネル５０に装着することを前提としている。コントロールモジュールの構成部品には、一般的に、ルームランプや各種スイッチ類、ハンズフリーマイク等があり、本実施形態のマイクアセンブリ１０は、ハンズフリーマイクとして、コントロールモジュールのパネル背面に装着される。パネル５０には、図２に示すように、透音部５２が設けられ、車室内の音声がパネル背面に進入できる。さらに、パネル５０の背面には、マイクアセンブリの受入れ部５４が設けられている。本実施形態のマイクアセンブリ１０は、この受入れ部５４に差し込まれることで、パネル背面に装着される。
【００１６】
次に、本実施形態のマイクアセンブリを構成する各部品について、図３を参照して説明する。マイクアセンブリ１０は、マイク或いはマイクエレメント２２、収容ハウジング２４、及び保持ケース２６から構成されている。マイク２２は、音声を拾い、これを電気信号に変換し、後述のマイクアンプに出力する機能を有している。収容ハウジング２４は、マイク２２を収容し、パネル５０に対向する面に開口部を有している。この収容ハウジング２４は、保持ケース２６に対し首振り可能に保持されている。保持ケース２６は、収容ハウジング２４を保持する部位と、マイクアンプ２８を収容する部位を有しており、ケース内部にハーネス２７が接続できるよう窓が設けられている。マイクアンプ２８は、マイク２２や車両側とハーネスで接続されており、マイク２２から音声信号が入力され、これを増幅し、車両側に出力している。
【００１７】
ここで、前述の収容ハウジングの構成について、詳細を説明する。収容ハウジング２４は、硬質部材から形成された外側ケース３０と、弾性部材で形成された内側ケース３２で構成されている。内側ケース３２は、外側ケース３０の内側表面と開口部の縁を覆うように配置されており、マイク２２を直接収容している。内側ケースの弾性部材には、ゴムやエラストマといった材質を用いることができる。一方、外側ケース３０は、硬質部材から形成され、保持ケース２６により首振り可能に保持されている。外側ケース３０の側面両側には、円形の突起部３４が設けられており、一方、保持ケース２６の側面両側には、円形の溝部３６が設けられている。外側ケース３０は、その突起部３４を保持ケース２６の溝部３６に嵌め込むことで、保持ケース２６に接続される。また、この接続部位を支点として、外側ケース３０は保持ケース２６に対し正逆自在に回転する（回動する）ことができる。
【００１８】
次に、パネルに対しマイクアセンブリ１０を固定するための構成について説明する。図３に示すように、本実施形態では、保持ケース２６には係止爪３８が、パネルの受入れ部５４には係止溝５８が設けられている。また、保持ケース２６にはガイド爪３９が、パネルの受入れ部５４にはガイド溝５９が設けられている。パネルの受入れ部５４に対し、マイクアセンブリ１０を差し込む方向は、保持ケースのガイド爪３９と、受入れ部のガイド溝５９により規定される。マイクアセンブリ１０を差し込むと、保持ケース２６の係止爪３８が受入れ部の係止溝５８に嵌まり、係止される。これにより、マイクアセンブリ１０は、パネル５０に対し位置を規定され、かつ固定される。
【００１９】
以上の構成に基づく作用と、その効果について説明する。
【００２０】
本実施形態では、マイクアセンブリをパネルに設けられた受入れ部に差し込む際に、パネルに対し収容ハウジングの開口部が密着するように、「収容ハウジング」が保持ケースに対して「回動する」ことを特徴としており、以下に説明する。
【００２１】
マイクアセンブリ１０をパネル受入れ部５４に差し込む過程について、収容ハウジング２４の動作を図５（ａ）〜（ｃ）を参照して説明する。まず、マイクアセンブリ１０をパネルの受入れ部５４に差し込むと、収容ハウジング２４の開口部の一部が、パネル背面に接触する（ａ）。さらに差し込むと、収容ハウジング２４は、その開口部がパネル面に沿うように、接触部位を力点として、保持ケース２６に対して回動する（ｂ）。最後まで差し込むと、収容ハウジング２４は、その開口部全体がパネル５０の面に密着する（ｃ）。以上のように、本実施形態では、収容ハウジング２４は、パネル５０の面の角度に応じて、保持ケース２６に対し回動し、その開口部が密着する。
【００２２】
したがって、本実施形態の収容ハウジング２４の開口部は、パネル５０の面に対し、その角度に応じて密着することができる。例えば図４に示すように、マイクアセンブリ１０の差込み方向と、収容ハウジング２４の開口部が密着するパネル５０の面の垂直方向との、角度が異なるような場合においても、収容ハウジング開口部をパネル面に対し密着させることが可能となる。
【００２３】
この結果、異なるパネル面角度を持つパネルに対して、同一形状のマイクアセンブリを装着することができ、マイクアセンブリの部品共用化を図ることができる。
【００２４】
また、パネル面の角度に応じた専用の押圧ブラケットを設ける必要が無くなる。これにより、部品点数を削減することができる。
【００２５】
ここで、本実施形態の収容ハウジングは、図３に示すように、「硬質」部材から形成された「外側ケース」と、「弾性」部材から形成された「内側ケース」と、を有し、外側ケースの内側と開口部の縁を覆うように内側ケースが配置されていることを特徴としており、以下に説明する。
【００２６】
前述のように、マイクアセンブリ１０をパネル受入れ部５４に差し込む過程において、収容ハウジング２４のの開口部全体がパネル５０の背面に密着し、マイクアセンブリ１０が固定される（図５（ｃ））。この時、図４に示すように、弾性部材の内側ケース３２の開口部の縁は、硬質部材の外側ケース３０の開口部の縁と、パネル５０の背面に挟まれる。硬質部材で形成される外側ケース３０の開口部（縁部）の全周で内側ケース３２を押さえつけることで、内側ケース３２の開口部（縁部）が、弾性変形する。
【００２７】
したがって、本実施形態では、外側ケース３０に内側ケース３２を嵌めこむという簡素な構成で、収容ハウジング２４の開口部に弾性部材を確実に配置することができる。収容ハウジング２４の開口部は、その弾性変形により、パネル５０の面に対し確実に密着することができる。これにより、収容ハウジング２４の開口部とパネル５０の面の間に隙間が生じることを防止できる。
【００２８】
この結果、パネル背後の周囲雑音が、前述の隙間を通じて収容ハウジング内部に進入することを低減することができ、マイクが周囲雑音を拾うことを低減することができる。
【００２９】
また、本実施形態では、マイクアセンブリの「保持ケース」には「係止」用の爪が、「パネル」の受入れ部には「係止」用の溝が設けられており、マイクアセンブリをパネル受け入れ部に差し込む際に、この係止爪と係止溝が係止されることで、パネルとマイクアセンブリが密着し、固定されることを特徴としており、以下に説明する。
【００３０】
前述のように、マイクアセンブリ１０をパネル受入れ部５４に差し込む過程において、マイクアセンブリ１０を最後まで差し込む（図５（ｃ））。この時、収容ハウジング２４の開口部の弾性体は、圧縮荷重を受けて変形している。この開口部が圧縮された状態で、保持ケース２６の係止爪３８とパネル受入れ部５４の係止溝５８が係止される。これにより、マイクアセンブリ１０は、パネル５０に対して、その開口部を密着させ、固定される。
【００３１】
したがって、本実施形態では、パネル５０にマイクアセンブリ受入れ部５４を設置すれば、パネル受入れ部５４とマイクアセンブリ１０のそれぞれに係止用の爪部と溝部を設けるだけで、マイクアセンブリを「ワンタッチ」で容易に装着することができる。
【００３２】
この結果、マイクアセンブリの組付け工程を簡略化することができる。ひいては、コントロールモジュールの生産性が向上する。
【図面の簡単な説明】
【００３３】
【図１】本実施形態に係るマイクアセンブリの斜視図である。
【図２】本実施形態において、マイクアセンブリをパネルの受入れ部に装着する際の組付図である。
【図３】本実施形態に係るマイクアセンブリ及び装着されるパネルの分解斜視図である。
【図４】本実施形態における、パネルに装着されたマイクアセンブリの上面図（ａ）と、Ｂ−Ｂ断面図（ｂ）である。
【図５】本実施形態において、マイクアセンブリをパネルに装着する際の、収容ハウジングの動作を示す図であり、（ａ）は収容ハウジングの開口部のパネルに近い部位が、パネル背面に接触する図、（ｂ）は収容ハウジングが前述の接触部位を力点として保持ケースに対して回動する図、（ｃ）は収容ハウジングの開口部全体がパネル背面に密着する図である。
【図６】従来例における、パネルに装着されたマイクアセンブリの斜視図（ａ）、上面図（ｂ）、Ｂ−Ｂ断面図（ｃ）である。
【符号の説明】
【００３４】
１０  マイクアセンブリ、２２  マイク、２４  収容ハウジング、２６  保持ケース、３０  外側ケース、３２  内側ケース、３８  係止爪、５０  パネル、５２  透音部、５４  受入れ部、５８  係止溝、１００  収容ハウジング、１０２  硬質部材のケース、１０４  防振ゴムカバー、１０６  透音部、１０８  マイク、１１０  パネル、１１４  押圧ブラケット。
【図１】
2005306278.tif 000003
【図２】
2005306278.tif 000004
【図３】
2005306278.tif 000005
【図４】
2005306278.tif 000006
【図５】
2005306278.tif 000007
【図６】
2005306278.tif 000008